(57)【要約】【課題】電装ユニットを本体前面上部に配置が可能な本体構成を実現することにより、電装ユニットの結露を防止しつつ、左右風向性能を向上させることができる空気調和機を提供すること。【解決手段】室内機の本体２内に、送風ファン８と、送風ファン８の上流側に配置された熱交換器６と、熱交換器６の上流側に配置されたフィルタ１６と、電装ユニット１が構成された空気調和機であって、電装ユニット１は、各種電気部品を実装する電装基板１ａと、電装基板１ａを保持する電装基板保持部材１ｇとを備え、ベース基板１ｆは、熱交換器６もしくはフィルタ１６と略平行で、フィルタ枠３ａもしくは台枠５に、送風ファン８の回転軸である中心位置より上側で、本体２の内部幅のほぼ全幅に渡って横長に配置され、電装ユニット１と駆動アーム４２の駆動中心位置とは、角部８１に配置したものである。【選択図】図２
2012207909.tif 000002
【特許請求の範囲】
【請求項１】
室内機の本体の外郭を構成する前面部と天面部と、前記前面部を構成し前面開口部を開閉自在とする前面パネルと、前記前面パネルを駆動する駆動アームと、前記本体内に送風ファンと、前記送風ファンの上流側に配置された熱交換器と、前記熱交換器の上流側に配置されたフィルタと、前記フィルタを保持するフィルタ枠と、台枠と、吹出口と、電装ユニットと、前記電装ユニットを載置するベース基板とが構成された空気調和機であって、前記前面部と前記天面部と前記フィルタで区画された角部を備え、前記天面部には前記本体外部の空気を吸い込む吸い込み孔を形成し、前記送風ファンによって前記吸い込み孔から吸込んだ前記空気を前記角部を通って前記熱交換器へ導くもので、前記電装ユニットは、各種電気部品を実装する電装基板と、前記電装基板を保持する電装基板保持部材とを備え、前記ベース基板は、前記熱交換器もしくは前記フィルタと略平行で、前記フィルタ枠もしくは前記台枠に、前記送風ファンの回転軸である中心位置より上側で、前記本体の内部幅のほぼ全幅に渡って横長に配置され、前記電装ユニットと前記駆動アームの駆動中心位置とは、前記角部に配置されたことを特徴とする空気調和機。
【請求項２】
前記電装基板保持部材の側壁面の外側に外側側壁面を形成して２重構造にし、前記２重構造の間に前記ベース基板を差し込んで、前記電装基板保持部材は前記ベース基板に収納されて形成されることを特徴とする請求項１に記載の空気調和機。
【請求項３】
前記ベース基板の一側に前記電装ユニットを配置し、前記ベース基板の他側に前記前面パネルを開閉駆動させる駆動メカ装置を備えたことを特徴とする請求項１に記載の空気調和機。
【請求項４】
前記電装ユニットと前記駆動メカ装置との間には穴部を前記ベース基板に設けたことを特徴とする請求項３に記載の空気調和機。
【発明の詳細な説明】
【技術分野】
【０００１】
本発明は、電装ユニットを内装した空気調和機の室内機に関するものである。
【背景技術】
【０００２】
従来の空気調和機の室内機に於いては、本体内の熱交換器及び送風ファンの側面側のスペースに、幅の狭い高さ及び奥行き寸法のある電装ユニットを収納したものが多く見受けられ、この電装ユニットは、各種電気部品を実装してなる電装基板を縦置き状態で配置し、小型化しているものがある（特許文献１参照）。
【０００３】
また、室内電気品を室内機シャーシの背面、あるいは室内熱交換器の前面で化粧カバーとの間に配置し、室内機の熱交換器に固定したものがある（特許文献２参照）。
【先行技術文献】
【特許文献】
【０００４】
【特許文献１】特開２００８−８２６８７号公報
【特許文献２】特開平８−１３５９９８号公報
【発明の概要】
【発明が解決しようとする課題】
【０００５】
しかしながら、電装ユニットが本体の側面側に配置された状態では、その部分のスペースが活用できないため、風回路の吹出し口の幅を拡大して左右風向性能を向上させることができなかった。
【０００６】
また、室内電気品を室内熱交換器の前面で化粧カバーとの間に配置して電源板を熱交換器に固定する構成では、熱交換器に直接固定されているため、伝熱して冷やされ結露してしまう場合がある。
【０００７】
本発明は、従来技術の有するこのような問題点に鑑みてなされたものであり、電装ユニットを本体前面上部に配置して吹き出し口の幅を広げるとともに、信頼性も向上した空気調和機を提供することを目的としている。
【課題を解決するための手段】
【０００８】
上記目的を達成するために、本発明の空気調和機の室内機は、室内機の本体の外郭を構成する前面部と天面部と、前記前面部を構成し前面開口部を開閉自在とする前面パネルと、前記前面パネルを駆動する駆動アームと、前記本体内に送風ファンと、前記送風ファンの上流側に配置された熱交換器と、前記熱交換器の上流側に配置されたフィルタと、前記フィルタを保持するフィルタ枠と、台枠と、吹出口と、電装ユニットと、前記電装ユニットを載置するベース基板とが構成された空気調和機であって、前記前面部と前記天面部と前記フィルタで区画された角部を備え、前記天面部には前記本体外部の空気を吸い込む吸い込み孔を形成し、前記送風ファンによって前記吸い込み孔から吸込んだ前記空気を前記角部を通って前記熱交換器へ導くもので、前記電装ユニットは、各種電気部品を実装する電装基板と、前記電装基板を保持する電装基板保持部材とを備え、前記ベース基板は、前記熱交換器もしくは前記フィルタと略平行で、前記フィルタ枠もしくは前記台枠に、前記送風ファンの回転軸である中心位置より上側で、前記本体の内部幅のほぼ全幅に渡って横長に配置され、前記電装ユニットと前記駆動アームの駆動中心位置とは、前記角部に配置されたものである。これによって補強することができるとともに、電装ユニットとフィルタとの間に風を通して結露を防ぐことができる。
【０００９】
また、電装ユニットを横置き状態で、前記風回路内のファンの中心位置より上側に配置することにより、結露を防ぐことができるとともに、風速への影響を減らしている。
【発明の効果】
【００１０】
本発明によれば、電装ユニットを本体内の前面上部のデッドスペースに配設することにより、本体内の熱交換器及び送風ファンの側面側スペースの有効活用が可能になり、さらに、ベース基板は、本体の内部幅のほぼ全幅に渡って横長に配置されるので補強することができ、また電装ユニットの奥側にも空気が流れ、露付き防止の効果も図れるものである。
【図面の簡単な説明】
【００１１】
【図１】本発明の実施形態１における空気調和機の室内機の正面図
【図２】図１におけるＡ−Ａに沿った断面図
【図３】同空気調和機の図１の線Ｂ−Ｂに沿った断面図
【図４】（ａ）同空気調和機の電装ユニットの正面側斜視図（ｂ）図４（ａ）のＣ−Ｃ断面図
【図５】同空気調和機の電装ユニットの背面側斜視図
【図６】電装ユニット周辺の風回路の風速分布図
【図７】一般的な空気調和機の風回路の風速分布図
【図８】本発明の実施形態１における気調和機の上下羽根の形状を示す図
【図９】同空気調和機の側壁の形状を示す図
【発明を実施するための形態】
【００１２】
第１の発明は、室内機の本体の外郭を構成する前面部と天面部と、前記前面部を構成し前面開口部を開閉自在とする前面パネルと、前記前面パネルを駆動する駆動アームと、前記本体内に送風ファンと、前記送風ファンの上流側に配置された熱交換器と、前記熱交換器の上流側に配置されたフィルタと、前記フィルタを保持するフィルタ枠と、台枠と、吹出口と、電装ユニットと、前記電装ユニットを載置するベース基板とが構成された空気調和機であって、前記前面部と前記天面部と前記フィルタで区画された角部を備え、前記天面部には前記本体外部の空気を吸い込む吸い込み孔を形成し、前記送風ファンによって前記吸い込み孔から吸込んだ前記空気を前記角部を通って前記熱交換器へ導くもので、前記電装ユニットは、各種電気部品を実装する電装基板と、前記電装基板を保持する電装基板保持部材とを備え、前記ベース基板は、前記熱交換器もしくは前記フィルタと略平行で、前記フィルタ枠もしくは前記台枠に、前記送風ファンの回転軸である中心位置より上側で、前記本体の内部幅のほぼ全幅に渡って横長に配置され、前記電装ユニットと前記駆動アームの駆動中心位置とは、前記角部に配置したものである。これによってデッドスペースの有効活用が可能になり、さらに、ベース基板による補強、また電装ユニットの奥側にも空気が流れ、露付き防止の効果も図ることができる。
【００１３】
第２の発明は、第１の発明において、前記電装基板保持部材の側壁面の外側に外側側壁面を形成して２重構造にし、前記２重構造の間に前記ベース基板を差し込んで、前記電装基板保持部材は前記ベース基板に収納されて形成されるものである。これによって、電装基板内への異物の侵入を防止できる。
【００１４】
第３の発明は、第１の発明において、前記ベース基板の一側に前記電装ユニットを配置し、前記ベース基板の他側に前記前面パネルを開閉駆動させる駆動メカ装置を備えたものであり、デッドスペースを利用することができる。
【００１５】
第４の発明は、第３の発明において、前記電装ユニットと前記駆動メカ装置との間には
穴部を前記ベース基板に設けたものである。これによって通風抵抗による熱交換効率の低下を抑制することができる。
【００１６】
以下、本発明の実施の形態について、図面を参照しながら説明する。なお、この実施の形態によって本発明が限定されるものではない。
【００１７】
（実施の形態１）
一般家庭で使用される空気調和機は、通常冷媒配管で互いに接続された室外機と室内機とで構成されており、図１、２は本発明に係る空気調和機の室内機を示している。
【００１８】
室内機は、本体２と、本体２の開口部９のうち、前面開口部９ａを開閉自在とする可動前面パネル（以下、単に前面パネルという。）４を有している。空気調和機の停止時は、前面パネル４は本体２に密着して前面開口部９ａを閉じているのに対し、空気調和機の運転時は、前面パネル４は本体２から離反する方向に移動して前面開口部９ａを開放する。なお、図３は前面パネル４が前面開口部９ａを閉じた状態を示している。すなわち、本体２の外郭となる前面部は前面パネル４で、天面部は天面パネル８０で構成している。天面パネル８０には室内を循環した空気を本体２内に吸い込む吸込み孔８０ａを形成している。
【００１９】
そして、本体２の内部には、室外機（図示しない）の圧縮機（図示しない）と配管で接続された室内の熱交換器６と、前面開口部９ａ及び上面開口部９ｂから取り入れられた室内空気を熱交換器６で熱交換して室内に吹き出すための送風ファン（クロスフローファン）８を有している。さらに、熱交換した空気を室内に吹き出す吹出口１０を開閉可能にするとともに空気の吹き出し方向を上下に変更する上下風向変更羽根（以下、単に「上下羽根」という。）１２と、空気の吹き出し方向を左右に変更する左右風向変更羽根（以下、単に「左右羽根」という。）１４とを備えている。また、開口部９（前面開口部９ａ及び上面開口部９ｂ）と熱交換器６との間には、開口部９から取り入れられた室内空気に含まれる塵埃を除去するためのフィルタ１６が設けられている。そして、このフィルタ１６はフィルタ枠３に取り付けられており、さらにフィルタ１６の下部前面側（吹出し口１０の上側）には、表示ユニット４１が設けられている。
【００２０】
また、図４（ａ）は電装ユニット１の表側で斜めから見た構成を示しており、図４（ｂ）は図４（ａ）のＣ−Ｃ断面図である。図５は図４を水平方向に１８０度回転させて裏側から見た場合を表している。
【００２１】
このように構成された前記電装ユニット１の構成について説明する。図１、２、４、５に示すように、本実施の形態の電装ユニット１は、ベース基板１ｆ上の右半分側に収納された、各種電気部品を実装してなる電装基板１ａと、この電装基板１ａを収納する電源箱１ｂから構成されている。ここで、ベース基板１ｆは、本体２の内部幅のほぼ全幅に渡って横長に配置構成するために補強されている。また左側には前面パネル４を開閉駆動させる駆動メカ装置４２ｂを備えている。さらに、左側端には強制運転スイッチ４４を備えている。また、前記電源箱１ｂと前記駆動メカ装置４４ｂとの間には運転時の吸込み開口部９ａ、９ｂを有効に活かすための穴部１ｃをベース基板１ｆに設けており、具体的には、ベース基板１ｆに穴部１ｃと電源箱１ｂが左右隣り合わせで形成されている。この穴部１ｃの周囲は補強加工がなされて構成されている。
【００２２】
そして室内を循環した空気の一部は、送風ファン８の運転によって穴部１ｃを通ってフィルタ１６で埃などを取り除いてから熱交換器６に導かれる。したがって電装箱１ｂが前側熱交換器６ｂの前方に位置し、部分的に通風抵抗となっているが穴部１ｃを電装箱１ｂの隣に形成することで、通風抵抗による熱交換効率の低下を抑制することができる。
【００２３】
実施例の場合、前側熱交換器６ｂの長手方向幅に対して電源箱１ｂはほぼ半分程度の大きさで形成され、残りの幅寸法内に穴部１ｃと機能部品を運転する駆動メカ装置４２ｂが配置している。
【００２４】
図１で、熱交換器６は前側熱交換器６ｂと後側熱交換器６ｃと送風ファン８の上部で逆Ｖ字状に組み合わせて構成され、具体的には本体２の長手方向に水平に配置した送風ファン８の回転軸８ｂよりも前方に前側熱交換器６ｂが配置している。
【００２５】
前側熱交換器６ｂは本体２の前方に向かって突出するように断面略く字状に折れ曲がって形成され、前側熱交換器６ｂの下端部は送風ファン８の下部よりも下方に位置している。
【００２６】
そして、前記熱交換器６の前面に配置した断面略く字状の前側熱交換器６ｂの上部は、一定の傾斜角をもった傾斜面６ａを形成している。そして室内の空気中の埃などが熱交換器６に付着するのを低減するために熱交換器６の外側を覆うようにフィルタ１６が配置している。具体的には、前側熱交換器６ｂと後側熱交換器６ｃの風上側となる上部から、前側熱交換器６ｂの傾斜面６ａに沿って熱交換器６を囲むように配設されている。さらに具体的には熱交換器６の上流側であって、熱交換器６を囲むように配設したフィルタ１６が、前記熱交換器６の傾斜面６ａと同じもしくは同程度の傾斜角をもった傾斜面１６ａで形成されている。
【００２７】
また前記室内機本体２のベースである台枠５には、送風ファン８、熱交換器６が、それぞれ直に固定されていて、図３のように運転停止状態では、前面パネル４が前面開口部９ａを閉じ、上下羽根１２も閉じた状態となるので、前面パネル４と天面パネル８０と台枠５で本体２の外郭を形成し内部が略閉塞された状態となる。
【００２８】
そして前面パネル４と天面パネル８０とフィルター１６とで本体２の内部に形成された角部８１は、機能部品が配置されない内部空間を長手方向に形成している。図２のように運転状態になると角部８１は、前側熱交換器６ｂと熱交換するために室内を循環した空気を吸い込む風回路の一部となる。
【００２９】
天面パネル８０には本体２外の空気を吸い込む吸い込み孔８０ａが形成されている。送風ファン８の回転により吸い込み孔８０ａから吸い込んだ空気は角部８１を通ってフィルターを介して前側熱交換器６ｂに導かれて熱交換し、再び吹出口１０から吹出される。
【００３０】
また電装ユニット１を前側熱交換器６ｂよりも上方に位置するので除霜水の水かかりを抑制でき、また電装ユニット１を外部からの空気で冷却促進できる。
【００３１】
この本体２の長手方向に形成される角部８１は送風ファン８よりも上部に形成されている。そしてこの角部８１には電装ユニット１を長手方向に形成している。具体的に、前記電装ユニット１は、図のように、フィルタ１６の傾斜面１６ａに対し同じもしくは同程度の傾斜角を持ちながら、電装ユニット１内の各種電気部品を実装する電装基板１ａの裏面を保持する電源箱１ｂの底板となる樹脂性の電源基板保持部材１ｇを収納して固定する、金属性のベース基板１ｆと共にフィルター１６に対面するように傾斜させて横長に配置している。
【００３２】
これによって電装ユニット１と前側熱交換器６ｂとの間に通風抵抗の少ない風回路を形成することができる。
【００３３】
そして電装基板１ａに実装された各種電気部品は角部８１方向に向かって実装し、金属性のベース基板１ｆと、電源箱１ｂで電装基板１ａを密閉収納して電装ユニット１を形成している。
【００３４】
電装ユニット１の電源箱１ｂの蓋部となる部分は、電源基板保持部材１ｇの傾斜配置によって、傾斜配置し、これによって電源箱１ｂの上角部と下角部は面取りした構造となり、蓋部分となる断面が台形形状となった電源箱１ｂで構成され、電装基板１ａを収納している。
【００３５】
これによって天面パネル８０の前縁部高さを低くすることができ、また前面パネル４の前方への飛び出し寸法を抑えて壁面からの奥行き寸法を小さくでき、コンパクト化を図ることができる。
【００３６】
また図４（ｂ）のように、電装基板１ａを保持する電装基板保持部材１ｇはベース基板１ｆに収納され、具体的には電装基板保持部材１ｇの側壁面の外側に外側側壁面を形成して２重構造にし、その間にベース基板１ｆを下方から差し込んで形成している。
【００３７】
また電源箱１ｂを構成する蓋部材１ｈの電装基板保持部材１ｇと嵌合するフランジ部は内側フランジ部１ｋと外側フランジ部１ｍの２重構造になっており、電装基板保持部材１ｇを外側から覆うように囲われて、フランジ部と電装基板保持部材１ｇの側壁面とで形成される僅かな隙間の経路がトラップ形状になるように嵌合して電源箱１ｂを構成する。
【００３８】
上記のように構成されることで電装基板１ａ内への異物の侵入を防止することができる。
【００３９】
またベース基板１ｆを金属製とすることで不燃化対応を行うことができ、樹脂性の電装基板保持部材１ｇで電装基板１ａを収納することで絶縁構造を形成することができ、また本体２の運搬時に落下したとしても内部の電装基板１ａの損傷を保護することができる。
【００４０】
これらによって本体２内の風回路の幅及び吹出し口１０の幅を広く配設することを可能にしているものである。
【００４１】
さらに電装ユニット１は、熱交換器６の傾斜面６ａから２０ｍｍ以上の距離Ｄ１を開けて離した位置に横長で配置される。なお、距離Ｄ１は、熱交換器６の傾斜面６ａから電装ユニット１に向かって垂直方向に測った距離であって、最も短い距離とする。なお、本実施の形態における電装ユニット１の縦幅Ｄ２は１００ｍｍとしている。このように電装ユニット１を配置した場合の、電装ユニット１周辺の風の様子を図６に示す。
【００４２】
図６において、線の向き及び長さはそれぞれその位置での風速及び風向を示している。図６から分かるように、電装ユニット１の背面（電装ユニット１と熱交換器６との間）にも縦幅全体に沿って風が流れている。すなわち、電装ユニット１の縦幅Ｄ２に対して、熱交換器６との距離Ｄ１を２０％以上とすることで、電装ユニット１の背面全域に風が流れるため結露を効果的に防止することができる。
また、このように距離Ｄ１を設けることで、フィルタ１６の取り付けや取り外しの作業性も確保することができる。
【００４３】
また、前記電装ユニット１とフィルタ１６の吸込み開口部２ａの下端との間の距離Ｄ３を５０ｍｍ以上として電装ユニット１を配置することにより、スタビライザ３２の上端部を通る風量を確保し、吸込み抵抗を減らして、異音の発生を防止しているものである。
【００４４】
また、前記電装ユニット１を前記風回路内のファン８の高さ方向の中心８ａ位置（回転軸の位置）より上側に配置することにより、ファン８による風性能への悪影響を最大限に低減することができる。ここで、空気調和機の一般的な風速分布について図７に示す。図７ではファン８による風速分布を示しており、風の流れを矢印で表したもので、風の大きさを矢印の長さで表し、風の方向を矢印の角度で表したものである。このように、熱交換器６の前面上部については他の部分と比較して風速が小さく、また安定した領域であることがわかる。これに対して、ファン８の周囲、吹出口１０付近はもちろん、室内機２の背面側に当たる部分や前面下部については風速が大きい。従って室内機の前面上部に電装ユニット１を設けるということは、ファン８による風速分布を考慮すると安定した領域への配置となり、風性能への悪影響を低減することができるものである。
【００４５】
また、前記電装ユニット１を前記風回路内のファン８の外周上部８ｂ位置より上側の角部８１に配置することにより、特に風速の遅い領域への配置となり、風性能への悪影響をさらに低減することができ、また前側熱交換器６ｂでの熱交換効率の低下を防止することができるものである。
【００４６】
また本体２の長手方向に配置した送風ファン８と、送風ファン８を回転させる回転軸方向に配置したファン駆動モータ（図示しない）は、送風ファン８の回転動作やファン駆動モータの運転動作によって振動が発生する虞があり、振動が他の機能部品等に伝わって共振する可能性がある。特に電装品などが共振すると内部の電装基板１ａが短絡されて誤動作をする可能性もある。
【００４７】
したがって、送風ファン８から最も離れた角部８１に電装ユニット１を配置することで送風ファン８やファン駆動モータからの振動を低減し、信頼性の高い空気調和機を提供することができる。
【００４８】
以上のように電装ユニット１を配置することによって、風性能への悪影響を減らしつつ、結露の防止も同時に実現することができる。なお、電装ユニット１の断面は、図１に記載のように、長方形ではなく一部切り欠いて台形のように構成すると、電装ユニット１を室内機の本体２の中にコンパクトに収容することができる。
【００４９】
また、本実施の形態のように前面パネル４が開閉する形態の場合には、本体２内の前面上部のデッドスペースに配置した電装ユニットの前面上部のデッドスペースに前面パネルを自動開閉する駆動アーム４２の駆動軸４２ａを配設することにより、外形ラインが保たれデザイン性向上の確保が図れるものである。この場合、駆動軸４２ａを、少なくとも室内機の上端面より下部であって、室内機の前面の外形ラインよりも内側に配置すれば良い。また、本実施の形態の空気調和機では、前面パネル４が開閉するため、電装ユニット１の周囲全域に渡って確実に風を行き渡らせることができ、さらに結露の防止効果を得ることができる。
【００５０】
具体的には、駆動アーム４２の動作によって前面パネル４を本体２の前方へ移動させることで前面パネル４と前側熱交換器６ｂとの間に空間部となる開口部９ａを形成し、送付ファン８の運転によって前面パネル４がガイドとなって空気を前側熱交換器６ｂに導くことができるので、電装ユニット１の配置による通風抵抗があっても、電装ユニット１と前側熱交換器６ｂとの間に設けたスペース（Ｄ１）に空気を導き熱交換効率の低下を抑制することができる。
【００５１】
次に、前記電装ユニット１の固定構成について説明する。
【００５２】
前記室内機本体２のベースである台枠５には、ファン８、熱交換器６、フィルタ自動清
掃ユニット３が、それぞれ直に固定されている。そして図３及び図４に示すように、前記電装ユニット１は、フィルタ自動清掃ユニット３の骨格をなすフィルタ枠３ａに固定されており、前記電装ユニット１の両端部のうち、ベース基板１ｆの右側端部に引掛け部１ｄ、左側端部に爪１ｅを設け、前記フィルタ枠３ａの両側にそれぞれ係止固定して構成している。
【００５３】
また、電装ユニット１横長配置上の右側に、内外機接続電線工事用のターミナル板ユニット４３を設置している。この前記ターミナル板４３の固定は、左側は前記電装ユニット１の右側に設けた爪（図示せず）と係合固定され、右側は前記台枠５側に固定された別部品（図示せず）にネジ固定されている。
【００５４】
このように、フィルタ枠３ａに電装ユニット１を固定することで、熱交換器６からの伝熱がなく、結露を防止することができる。なお、熱交換器６に固定しなければ同様の効果が得られるため、本実施の形態のようにフィルタ枠３ａに固定する以外にも、室内機本体２の側面や、台枠５に固定しても良いことは言うまでも無い。
【００５５】
次に、吹出し口１０部の構成について説明する。
【００５６】
図２に示すように、上下羽根１２は、吹出口１０を開閉する下羽根１２ａと、下羽根１２ａの上方に設けられ下羽根１２ａと協働して吹出口１０から吹き出された空気の吹き出し方向を制御する上羽根１２ｂとで構成されている。また、下羽根１２ａは駆動軸（図示せず）に連結される一方、上羽根１２ｂは駆動軸（図示せず）に連結され、各駆動軸（図示せず）は駆動モータ等の駆動源（図示せず）に連結されている。また、図８に示すように、上羽根１２ｂ及び下羽根１２ａ（図示せず）は吹出口１０の横幅よりも長く構成されている。
【００５７】
空気調和機が運転を開始すると、上下羽根１２は開制御されて吹出口１０を開放し、ファン８が駆動される。そして、ファン８の駆動によって、室内空気は前面開口部２ａ及び上面開口部２ｂを介して室内機の内部に取り入れられる。取り入れられた室内空気は熱交換器６で熱交換を行い、ファン８を通過して、ファン８の下流側に形成された通風路２８を通過し吹出口１０より吹き出される。
【００５８】
また、吹出口１０からの空気の吹き出し方向は、上下羽根１２及び左右羽根１４により制御され、上下羽根１２の上下方向の角度及び左右羽根１４の左右方向の角度は、室内機を制御するリモコン（遠隔操作装置）により制御される。
【００５９】
さらに、吹出口１０の上流側に位置する通風路２８は、ファン８の下流側に位置するリアガイダ３０と、ファンの下流側に位置しリアガイダ３０に対向するスタビライザ３２と、両側壁３４とで形成されている。
【００６０】
なお、上述した用語「スタビライザ」は、ファン８の下流近傍に位置し、ファン８の前部付近に発生する渦を安定化させるスタビライザと、このスタビライザの下流側に位置しファン８により搬送される空気の圧力回復を担うディフューザの前部壁部分に分けることもできるが、本実施の形態では、これらを総称して「スタビライザ」という。
【００６１】
このように設定することで、吹出口１０の内側では、吹き出し風が、上下羽根１２（下羽根１２ａと上羽根１２ｂ）と左右の側壁３４に挟まれ、上下左右に漏れることなくその風向が変更されて、吹出口１０より吹き出される。一方、吹出口１０の外側では、左右に変更された吹き出し風が吹出口１０の左右の端部よりもさらに左右に吹き出されても、吹出口１０の左右の側壁３４よりも外側に延長された上下羽根１２により、拡散することな
く上下及び左右の変更方向を維持することができる。
【００６２】
なお、左右羽根１４は、図２及び図３に示すように、正面を向いたときにその先端部がデザイン面より前方に突出することから、空気調和機の運転停止時、このままの状態で上下羽根１２を閉じると、上下羽根１２は左右羽根１４と干渉する。このため、空気調和機の運転停止時には、左右羽根１４内側に傾斜させた後、吹出口１０を上下羽根１２で閉じるように制御することで、上下羽根１２と左右羽根１４の干渉を回避している。このように、左右羽根１４を大きくすることで、左右方向への吹出しの風向制御といった性能を向上することができる。
【００６３】
また、図９に示すように、吹出口１０の左右の側壁３４は、通風路内において、吹出口１０に向かって外側方向に広がるＲ形状を含む断面形状を有している。そして、側壁３４をこのようなＲ形状にすることで、風が側壁３４に沿うように流れるというコアンダ効果が生じる。従って、電装ユニット１を室内機本体２の前面上部に配置して吹出口１０を広げるとともに、左右の側壁３４をこのような形状にすることで、風左右への吹出し性能をより向上することができる。
【産業上の利用可能性】
【００６４】
本発明に係る空気調和機は、電装ユニットを本体内の前面上部に配置することにより、風回路の幅及び吹出し口幅を広げることが可能になり、風向変更性能が向上するとともに結露を防止して信頼性を向上するもので、一般家庭で使用される空気調和機を含む様々な空気調和機として有用である。
【符号の説明】
【００６５】
１  電装ユニット、  １ａ  電装基板、  １ｂ  電源箱、  １ｃ  穴部、  １ｄ  引掛け部、  １ｅ  爪部、  １ｆ  ベース基板、  ２  本体、  ３  フィルタ自動清掃ユニット、  ３ａ  フィルタ枠、  ３ｂ  ノズル、  ４  前面パネル、  ５  台枠、  ６  室内熱交換器、  ６ａ  傾斜面、  ８  ファン、  ８ａ  中心、  ８ｂ  外周上部、  ９  開口部、  ９ａ  、  ９ｂ  、  １０  吹出口、  １４  左右風向変更羽根、  １６  フィルタ、  １６ａ  傾斜面、  １２  上下羽根  １２ａ  下羽根、  １２ｂ  上羽根、  ３０
リアガイダ、  ３２  スタビライザ、  ３４  側壁、  ４１  表示ユニット、  ４２  駆動アーム、  ４２ａ  駆動軸、  ４２ｂ  駆動メカ装置、  ４３  ターミナル板ユニット、  ４４  強制運転スイッチ
【図１】
2012207909.tif 000003
【図２】
2012207909.tif 000004
【図３】
2012207909.tif 000005
【図４】
2012207909.tif 000006
【図５】
2012207909.tif 000007
【図６】
2012207909.tif 000008
【図７】
2012207909.tif 000009
【図８】
2012207909.tif 000010
【図９】
2012207909.tif 000011